(57)【要約】【課題】本発明の浴槽によれば、渚で寝ころぶような楽な姿勢で入浴でき、背中を含めた体の周り全体を湯水が包む浮遊感が得られ、また、十分な温熱効果やリラクゼーション効果が得られる浴槽を提供する。【解決手段】浴槽底面を上側底面２、２…と下側底面１ａの二重構造とし、上側底面２、２…は透水性面材で構成し、上側底面２、２…は浴槽内部から浴槽上面に亘ってなだらかに傾斜して設けられており、かつ、上側底面２、２…と下側底面１ａの間に水流又は気泡を発生させる手段を設けた。また、上側底面２、２…は、浴槽内の対向する内壁面１ｃ、１ｅに複数の長尺体を並列して取り付けることにより構成した。【選択図】        図３
2004267572.tif 000002
【特許請求の範囲】
【請求項１】
浴槽底面を上側底面と下側底面の二重構造とし、上側底面は透水性面材で構成し、上側底面は浴槽内部から浴槽上面に亘ってなだらかに傾斜して設けられており、かつ、上側底面と下側底面の間に水流又は気泡を発生させる手段を設けたことを特徴とする浴槽。
【請求項２】
前記上側底面は、浴槽内の対向する内壁面に複数の長尺体を並列して取り付けることにより構成されていることを特徴とする請求項１の浴槽。
【請求項３】
浴槽底面を上側底面と下側底面の二重構造とし、上側底面は浴槽の対向する内壁面に複数の長尺体を並列して取り付けることにより構成されており、該長尺体の内壁面への取り付け位置を上下調節可能としたことを特徴とする浴槽。
【発明の詳細な説明】
【０００１】
【発明の属する技術分野】
本発明は、浴槽に関するものである。
【０００２】
【従来の技術】
従来の浴槽は、脚が伸ばせないのは言うまでもなく、脚が伸ばせるサイズ・形状であっても、頭を水没させることなく身体全体を伸ばしてゆったりとリラックスすることができなかった。また、例えばお尻、足の裏、首など身体を部分で支える姿勢で入浴せざるを得ず、その部分に体重が集中することから長時間ゆったりとはできなかった。
【０００３】
温泉地で見られるような寝湯の場合はゆったりと身体全体を伸ばせるが、頭を枕で高くしたとしてもどうしても浴槽全体の水深が浅くならざるを得ないため湯温が低下しやすく、湯温を維持するためには常時湯を流し続けなければならなかった。また、水深が浅ければ心肺に対する静水圧の負荷は低減できるが、血液のうっ滞しやすい下半身、特に足部への水圧が不足しがちで、血液やリンパ液による老廃物の回収・代謝には不利であった。
【０００４】
そこで、特開平１０−２６２８４８に示されるように、浴槽内に長尺板体群を取り付けることにより寝椅子を形成し、体重を体全体で長尺板体群にあずけることができ、寝湯の姿勢ではあるが心肺側は浅く、足先は深い姿勢をとることができる浴槽が提案されている。
【０００５】
【特許文献１】
特開平１０−２６２８４８号公報
【０００６】
上記の技術によれば、入浴者はゆったりと身体を伸ばしリラックスでき、心肺への負担が少なく、逆に足先には通常の浴槽に近い静水圧を得て血流、特に老廃物を含んだ静脈の還流を促進できる。また、この静水圧と血流促進によって隣接するリンパ液もリンパ節へと押し流され老廃物の代謝が促進される。
【０００７】
【発明が解決しようとする課題】
ところで、湯による温熱を効果的に得るためには湯が身体表面にあたるのみでなく、身体表面にあたる湯が流動していることが好ましい。しかし、特開平１０−２６２８４８の浴槽にあっては、長尺板体どうしの隙間から身体に湯があたるものの、身体表面にあたる湯が流動しないから、湯による温熱効果が得にくいという問題がある。通常の入浴であれば浴槽内での入浴者の動きにより身体表面にあたる湯も流動するが、寝湯の姿勢でリラックスしている場合は入浴者もあまり動かないため、湯の流動が起こりにくい。
【０００８】
また、特開平１０−２６２８４８の浴槽にあっては、寝椅子と座椅子が形成できるものの、寝椅子の形状は固定されている。したがって、入浴者の体格によっては寝椅子の形状にフィットせず、十分なリラクゼーション効果が得られない。
【０００９】
以上の事情を鑑み本発明は、渚で寝ころぶような楽な姿勢で入浴でき、背中を含めた身体の周り全体を湯水が包む浮遊感が得られるようにすること、また、十分な温熱効果やリラクゼーション効果が得られることを解決すべき課題とする。
【００１０】
【課題を解決するための手段】
請求項１の浴槽は、浴槽底面を上側底面と下側底面の二重構造とし、上側底面は透水性面材で構成し、上側底面は浴槽内部から浴槽上面に亘ってなだらかに傾斜して設けられており、かつ、上側底面と下側底面の間に水流又は気泡を発生させる手段を設けたことを特徴とする。
【００１１】
請求項２の浴槽は、前記上側底面は、浴槽内の対向する内壁面に複数の長尺体を並列して取り付けることにより構成されていることを特徴とする。
【００１２】
請求項３の浴槽は、浴槽底面を上側底面と下側底面の二重構造とし、上側底面は浴槽の対向する内壁面に複数の長尺体を並列して取り付けることにより構成されており、該長尺体の内壁面への取り付け位置を上下調節可能としたことを特徴とする。
【作用】
【００１３】
請求項１の浴槽は、渚で寝ころぶような楽な姿勢で入浴でき、背中を含めた体の周り全体を湯水が包む浮遊感が得られ、リラクゼーション効果を得られる。また、水流発生手段または気泡発生手段を設けたことにより十分な温熱効果を得られる。
【００１４】
請求項２の浴槽は、長尺体の材質、色等を選択することにより、さまざまなバリエーションの浴槽とすることができる。
【００１５】
請求項３の浴槽は、渚で寝ころぶような楽な姿勢で入浴でき、背中を含めた体の周り全体を湯水が包む浮遊感が得られ、リラクゼーション効果を得られる。上側底面の形状を変えることができ、入浴者の体格にあわせてフィットさせることが可能になり、十分なリラクゼーション効果を得ることができる。
【００１６】
【実施例】
以下、本発明の実施形態を図面に沿って説明する。図１は本発明にかかる浴槽Ａの斜視図、図２は平面図、図３は断面図である。
【００１７】
図３に示すように、浴槽ＡはＦＲＰ製の浴槽本体１と、陶磁器製の棒状角材２、２…とで構成され、浴槽本体１は、底面１ａ、４つの内壁面１ｂ、１ｃ、１ｄ、１ｅとで構成されている。この底面１ａが本発明の下側底面を構成する。また、２６本の棒状角材２、２…が対向する内壁面１ｃ、１ｅにから浴槽Ａ上面に亘って取り付けられている。これらの棒状角材２、２…の太さは５０ｍｍであり、隣り合う棒状角材２、２…どうしは１０〜１５ｍｍの間隔があけられ、平行に並列されている。これら棒状角材２、２…が本発明の上側底面を構成する。
【００１８】
棒状角材２、２…は中空とされており、その長手方向に貫通する貫通孔２ａ（図５（１）参照）が設けられている。図４は、棒状角材２、２…を浴槽本体１に支持するための支持部材の拡大斜視図である。支持部材は棒状角材２、２…と同数が内壁面１ｃ、１ｅに対になって設けられており、内壁面１ｃ、１ｅに固定される固定レール４と、固定レール４に対し上下移動可動に取り付けられる可動ピース５とからなる。可動ピース５は左右に切欠部５ａを有する基部５ｂと、突起部５ｃとで構成されている。固定レール４は平面視略Ｃ形状であり、その内部左右の上段、中段、下段にはバネ材４ａ、４ｂ、４ｃが設けられている。
【００１９】
棒状角材２の両端に開口している貫通孔２ａに可動ピース５の凸部５ｃを嵌め、可動ピース５を固定レール４に嵌合し、可動ピース５の切欠部５ａと固定レール４のバネ材４ａ、４ｂ、４ｃを係合させることにより、各棒状角材２、２…の上下位置を上中下の３段階に調節することができる。これにより、入浴者の体格や、身体のカーブに合わせて調節することが可能である。
【００２０】
本実施例においては、棒状角材２、２…は陶磁器製なので、肌触りが良い。なお、感触、弾性、インテリア性についてはパーソナルな心地よさや雰囲気を求めて、陶磁器製のほかに樹脂製、木材、金属製を選んでも良いし、それらを布や革で被覆しても良い。また材質を選択することの他、色、柄、面状が別のもの選択したり、または異質のものを組み合わせても良い。
【００２１】
なお、浴槽Ａの上面部の四方周囲には、木製の板材６、６…が設けられている。なお、木製ではなく棒状角材２、２…と同様に陶磁器製としても良いし、樹脂製、金属製を選んでも良いし、それらを布や革で被覆しても良い。
【００２２】
本実施例の浴槽にあっては、ポンプＰが設けられており、内壁面１ｂに設けられた開口１ｊから気泡を混合させた湯を噴出できるようにされている。ポンプＰを運転することにより開口１ｊから気泡を混合された湯を噴出させると、水流や気泡が棒状角材２、２…に衝突することから、衝突時の気泡の粉砕によって生じる超音波のマッサージ効果や身体の汚れ除去効果を期待できる。また、気泡が微細となることによりソフトなマッサージ効果が得られる。さらに、開口１ｊからの噴出が強い場合であっても、これを棒状角材２、２…が分散させることで、身体にやさしい細い温水流を作ることが出来る。なお、本実施例においては、内壁１ｂの開口１ｊから気泡を混合させた温水を噴出させているが、気泡のない温水流だけを噴出させても良い。また、温水を噴出させるのではなく、底面１ａから気泡が立ち上るようにしても良い。
【００２３】
本実施例においては、入浴者が寝湯の姿勢でリラックスすることにより身体をあまり動かさない場合であっても、水流や気泡によって、湯を効果的に身体にあてることができ、すぐれた温熱効果を得られる。
【００２４】
また、本実施例の浴槽は、図３に示す水位Ｗ．Ｌ．よりも上に位置する棒状角材２、２…を透水性のある床Ｄとして捉えることができ、この床Ｄの上方は略ドライな空間であるが、蒸気浴または温熱気浴の場として活用できる。ケガなどで湯水に身体が浸せないときも、床Ｄの上面に居ることで温熱効果が得られる。
【００２５】
本実施例において、長尺体は貫通孔２ａを有する棒状角材２を用いているが、貫通孔２ａでなはなく、貫通しない凹穴を両端に設けても良い。または、図５（２）に示すように棒状角材２の両端に円柱状凸部２ｂを設けておき、一方、可動ピース３には丸穴を設けておき、両者を嵌合しても良い。なお、円柱状凸部と丸穴による嵌合の場合は、棒状角材２を回転させることができるために棒状角材２の上面に傾斜面にセッティングすることが可能であり、これにより、高さの異なる隣り合う棒状角材２どうしを階段状にセッティングをすることの他に傾斜を揃えたスロープ状にセッティングをすることもできる。また、長尺体は角材形状以外の形状のものを用いても良い。例えば、円柱形状でもよいし、図５（３）に示すように波状にしても良い。長尺体の断面形状も正方形や円の他に、図５（４）に示す扁平長方形状や図５（５）に示す歯車形状としても良い。
【００２６】
図６は別の実施例にかかる長尺体２の取付部を示す図であり、図４に示した実施例との違いは、固定レール４のバネ材４ａ、４ｂ、４ｃの替わりに爪４ｅ、４ｆ、４ｇが設けられ、可動ピース５の凸部５ｃのかわりに丸穴５ｄが設けられている点である。なお、固定レール４の爪４ｅ、４ｆ、４ｇは、起立位置及び水平位置の９０度に亘っての回転が可能とされている。本実施例の場合には、棒状角材２の端部の円柱状凸部２ｂ（図５（２）参照）に可動ピース５の丸穴５ｄを嵌め、可動ピース５と固定レール４を嵌合し、可動ピース５を下から上へ移動させることにより、棒状角材２の上下位置を下中上の３段階に調整することができる。また、可動ピース５は上から下へは移動しないため、棒状角材２に対して上から大きな力がかかった場合でも、棒状角材２の位置が移動してしまうことがない。
【００２７】
また、本発明については以上の実施例の他に、様々な実施態様が考えられる。例を挙げると（１）棒状角材２、２…の上部にセラミックビーズや砂を敷き詰めて、砂浜を演出する。この場合には、セラミックビーズが棒状角材２、２…の下に落ちてしまわぬよう、棒状角材２、２、…の裏側にセラミックビーズよりも目の細かいネットを張っておくと良い。（２）雛壇のような支持体を浴槽底面に設置し、その支持体に長尺体を支持させることにより上側底面を構成する。このようにすれば、既設の浴槽への簡易な後付けが可能になる。（３）棒状角材２、２、…と浴槽底面１ａとの間の空間に、循環浄化装置や給湯装置を設置する。（４）浴槽の上側底面を長尺体ではなく、格子状や網状の面材やスノコで構成する。（５）棒状角材２、２…の上下可動範囲を広げることにより、浴槽上面部周囲の木製の板材６、６…と各棒状角材２、２…とをフラットにできるようにする。このようにすれば、浴槽上面と浴槽上面周囲とを合わせた全域を蒸気浴又は温熱気浴のスペースとして使用でき、また、本発明の浴槽を設置する浴室に密閉性、耐熱性、遮熱性を持たせれば、低温サウナとしても利用できる。
【００２８】
【発明の効果】
本発明の浴槽によれば、渚で寝ころぶような楽な姿勢で入浴でき、背中を含めた体の周り全体を湯水が包む浮遊感が得られ、また、十分な温熱効果やリラクゼーション効果が得られる。
【図面の簡単な説明】
【図１】本発明の実施例にかかる浴槽の斜視図である。
【図２】本発明の実施例にかかる浴槽の平面図である。
【図３】本発明の実施例にかかる浴槽の断面図である。
【図４】本発明の実施例にかかる長尺体の取付部の拡大斜視図である。
【図５】本発明の別の実施例にかかる長尺体の斜視図及び断面図である。
【図６】本発明の別の実施例にかかる長尺体の取付部の拡大図である。
【符号の説明】
１    浴槽本体
１ａ    底面
１ｂ、１ｃ、１ｄ、１ｅ    内壁面
２    棒状角材
４    固定レール
５    可動ピース
Ａ    浴槽
Ｐ    ポンプ
【図１】
2004267572.tif 000003
【図２】
2004267572.tif 000004
【図３】
2004267572.tif 000005
【図４】
2004267572.tif 000006
【図５】
2004267572.tif 000007
【図６】
2004267572.tif 000008